(57)【要約】【課題】  小型化・軽量化および低価格化を図りながら、地上波ディジタル放送のコンテンツを享受する。【解決手段】  ＣＰＵ１は、異なる種類の情報が多重化された地上波ディジタル放送の受信データから音声データおよび文字データを抽出して、その抽出した音声データおよび文字データをメモリ１１に記憶する。そして、メモリ１１に記憶されている文字データを読み出して表示部１３に文字列を表示させるとともに、メモリ１１に記憶されている音声データを読み出してスピーカ１５又はヘッドホンによって発音させる際に、音声データの読出タイミングに同期して、表示部１３表示された文字列において、文字の表示態様を順次変化させる。【選択図】  図１
2005340989.tif 000002
【特許請求の範囲】
【請求項１】
異なる種類の情報が多重化されたディジタルテレビ放送の受信データから音声データおよび文字データを抽出する抽出手段と、
前記抽出手段によって抽出された音声データおよび文字データを所定の記憶手段に記憶する記憶制御手段と、
前記記憶手段に記憶されている文字データを読み出して所定の表示手段に文字列を表示させるとともに、前記記憶手段に記憶されている音声データを読み出して所定の発音手段によって発音させる再生制御手段と、
前記再生制御手段による音声データの読出タイミングに同期して前記表示手段に表示された文字列において所定単位の文字データに対応する文字の表示態様を順次変化させる表示制御手段と、
を備えた通信端末装置。
【請求項２】
前記表示制御手段は、音声データの読出タイミングに同期して表示された文字列を１文字ごとに表示態様を順次変化させることを特徴とする請求項１に記載の通信端末装置。
【請求項３】
前記表示制御手段は、楽音を構成する音声データの読出タイミングに同期して表示された歌詞の文字列を楽音のフレーズ単位で表示態様を順次変化させることを特徴とする請求項１に記載の通信端末装置。
【請求項４】
ディジタルテレビ放送に含まれている識別情報によって当該ディジタルテレビ放送の受信が許可されているか否かを判定する判定手段をさらに備え、前記抽出手段は、この判定手段によって当該ディジタルテレビ放送の受信が許可されていると判定された場合に、当該ディジタルテレビ放送の音声データおよび文字データを抽出することを特徴とする請求項１に記載の通信端末装置。
【請求項５】
異なる種類の情報が多重化されたディジタルテレビ放送の受信データから音声データおよび文字データを抽出する第１のステップと、
前記第１のステップによって抽出された音声データおよび文字データを所定の記憶手段に記憶する第２のステップと、
前記記憶手段に記憶されている文字データを読み出して所定の表示手段に文字列を表示させるとともに、前記記憶手段に記憶されている音声データを読み出して所定の発音手段によって発音させる第３のステップと、
前記第３のステップによる音声データの読出タイミングに同期して前記表示手段に表示された文字列において所定単位の文字データに対応する文字の表示態様を順次変化させる第４のステップと、
を実行する通信制御処理のプログラム。
【請求項６】
ディジタルテレビ放送に含まれている識別情報によって当該ディジタルテレビ放送の受信が許可されているか否かを判定する第５のステップをさらに有し、前記第１のステップは、この第５のステップによって当該ディジタルテレビ放送の受信が許可されていると判定された場合に、当該ディジタルテレビ放送の音声データおよび文字データを抽出することを特徴とする請求項５に記載の通信制御処理のプログラム。
【発明の詳細な説明】
【技術分野】
【０００１】
本発明は、通信端末装置および通信制御処理のプログラムに関し、特に、地上波ディジタル放送を受信する携帯型の通信端末装置および通信制御処理のプログラムに関するものである。
【背景技術】
【０００２】
２００３年１２月から一部の地域において放送が開始された地上波ディジタル放送は、ＯＦＤＭ（直交周波数分割多重方式）の採用によって、移動体受信に強い電波特性をもっているので、携帯電話、ＰＤＡ（携帯情報端末）、カーナビなどのモバイル端末によっても放送を受信する仕様が検討されている。例えば、約６ＭＨｚの帯域である１チャンネルを１３個のセグメントで構成し、その中の１セグメント（帯域幅約４２９ｋＨｚ）がモバイル端末向けの簡易動画放送に割り当てることが計画されている。また、地上波ディジタル放送においては、ＢＳディジタル放送やＣＳディジタル放送と同様に、映像データ、音声データ、字幕やデータ放送の文字データのように、異なる種類のデータ（メディア）を多重化して送信する。この場合において、現在の地上波ディジタル放送に用いられているＭＰＥＧ−２の圧縮技術によって、各種類のデータがそれぞれ独自に圧縮された後、パケットとして多重化され、パケット単位で送信される。受信側においては、多重化されたパケットを各種類のデータごとに分離して復号化がなされる。
【０００３】
従来、異なる種類のデータが多重化された各種メディアのデータを分離するための提案がなされている。
ある特許文献のマルチメディア多重方式によれば、送信側において、明細書の段落番号「００２１」および図２に記載されているように、多重化器１００では、まず情報フィールド生成部１０３において、入力された情報源が異なる各メディアデータ３０１を分割し、情報フィールドデータを生成する。次に、同期情報付加部１０５で、情報フィールドデータに対してシステムクロックリファレンス６の付加を行う。システムクロックリファレンス６の付加においては、クロック生成部１０４で生成したクロック信号を用いてタイムスタンプが作られる。
そして、受信側において、明細書の段落番号「００２３」および図３に記載されているように、多重化分離器２００で分離したメディア間の同期を確保するために、同期情報分離部２０３にて分離したメディア毎のタイムスタンプ３０３を同期情報比較器２０７に入力して比較し、最も遅いタイムスタンプを有するメディア信号に同期するよう遅延処理を施す。（特許文献１および特許文献２参照）
【０００４】
また、地上波ディジタル放送の映像データおよび音声データをモバイル端末で受信してメモリに記憶した後、その記憶した映像データおよび音声データを再生する提案もなされている。
ある提案の携帯型視聴装置においては、地上波ディジタル放送を受信して符号化映像・音声データを取得するチューナと、符号化映像・音声データをメモリカード又は内蔵メモリに格納する手段と、メモリカード又は内蔵メモリから読み出した符号化映像・音声データおよびチューナから供給された符号化映像・音声データをデコードしてディスプレイ上に映像表示するとともに音声出力する手段と、電話機能部と、番組の視聴中に前記電話機能部で着信が生じたとき又はユーザが通話開始操作を行ったときに視聴中の番組の符号化映像・音声データを前記内蔵メモリに記録させる手段と、を備えた構成になっている。この構成により、電話による通話のために視聴中の番組で見られなかった部分が生じても、その部分については内蔵メモリへの録画処理が実行されていることになるので、後で視聴することが可能になる。（特許文献３参照）
【０００５】
したがって、上記特許文献３の提案による携帯型視聴装置に、上記特許文献１および２の提案によるマルチメディア多重方式を適用すれば、送信側において、映像データ、音声データ、文字データなどの各種類のデータがそれぞれ独自に圧縮された後、多重化されてパケット単位で送信されていても、受信側においては、メモリに記憶した各種類のデータを再生する場合でも、各種類のデータの同期をとることができる。
【特許文献１】特開２０００−３１９３０号公報
【特許文献２】特開２０００−３１９２９号公報
【特許文献３】特開２００３−１１１００４号公報
【発明の開示】
【発明が解決しようとする課題】
【０００６】
しかしながら、ＭＰＥＧシステムの圧縮技術によって放送される映像データが圧縮されるにもかかわらず、上記特許文献３のように、視聴中の番組の符号化映像・音声データを内蔵メモリに記録させる場合には、大容量の内蔵メモリ、長時間にわたって電源を供給できる電池、高速のデータ処理が可能なＣＰＵなどが必要になる。その一方で、携帯電話などのモバイル端末の小型化・軽量化および低価格化をユーザは強く希望している。すなわち、携帯電話などのモバイル端末で地上波ディジタル放送を享受することと、その小型化・軽量化および低価格化とが相反する関係になっている。
【０００７】
ところで、地上波ディジタル放送によってユーザが享受できるコンテンツは映像だけではない。地上波ディジタル放送のディジタル音声信号は高い音質で放送されるので、特に、音楽番組の放送においては、ＣＤやＭＤを再生した場合と同等の音質を享受することができる。現代のように、携帯型のＣＤプレーヤやＭＤプレーヤが広く普及し、携帯電話に音楽データをダウンロードすることが頻繁に行なわれ、カラオケを楽しむ人が増加していることから明らかなように、音楽は人々の生活の一部として定着している。各テレビ放送局の番組編成においても、必ず音楽番組のプログラムが組まれているし、ドラマ番組の中でもテーマ音楽や間奏曲が重視されている。
本発明は、このような現実に鑑みてなされたものであり、小型化・軽量化および低価格化を図りながら、地上波ディジタル放送のコンテンツを享受できる通信端末装置および通信制御処理のプログラムを提供することを目的とする。
【課題を解決するための手段】
【０００８】
請求項１に記載の通信端末装置（実施形態においては、携帯電話に相当する）は、異なる種類の情報が多重化されたディジタルテレビ放送（実施形態においては、地上波ディジタル放送に相当する）の受信データから音声データおよび文字データを抽出する抽出手段（実施形態においては、図１のＣＰＵ１に相当する）と、抽出手段によって抽出された音声データおよび文字データを所定の記憶手段（実施形態においては、図１のメモリ１１に相当する）に記憶する記憶制御手段（実施形態においては、ＣＰＵ１に相当する）と、記憶手段に記憶されている文字データを読み出して所定の表示手段（実施形態においては、図１の表示部１３に相当する）に文字列を表示させるとともに、前記記憶手段に記憶されている音声データを読み出して所定の発音手段（実施形態においては、図１のスピーカ１５および図示しないヘッドホンに相当する）によって発音させる再生制御手段（実施形態においては、図１のＣＰＵ１に相当する）と、再生制御手段による音声データの読出タイミングに同期して表示手段に表示された文字列において所定単位の文字データに対応する文字の表示態様を順次変化させる表示制御手段（実施形態においては、図１のＣＰＵ１に相当する）と、を備えた構成になっている。
【０００９】
請求項１の通信端末装置において、請求項２に記載したように、表示制御手段は、音声データの読出タイミングに同期して表示された文字列を１文字ごとに表示態様を順次変化させるように構成してもよい。。
請求項１の通信端末装置において、請求項３に記載したように、表示制御手段は、楽音を構成する音声データの読出タイミングに同期して表示された歌詞の文字列を楽音のフレーズ単位で表示態様を順次変化させるように構成してもよい。
請求項１の通信端末装置において、請求項４に記載したように、ディジタルテレビ放送に含まれている識別情報（実施形態においては、契約者ＩＤに相当する）によって当該ディジタルテレビ放送の受信が許可されているか否かを判定する判定手段（実施形態においては、図１のＣＰＵ１に相当する）をさらに備え、抽出手段は、この判定手段によって当該ディジタルテレビ放送の受信が許可されていると判定された場合に、当該ディジタルテレビ放送の音声データおよび文字データを抽出するように構成してもよい。
【００１０】
請求項５に記載さの通信制御処理のプログラムは、異なる種類の情報が多重化されたディジタルテレビ放送（実施形態においては、地上波ディジタル放送に相当する）の受信データから音声データおよび文字データを抽出する第１のステップと、第１のステップによって抽出された音声データおよび文字データを所定の記憶手段（実施形態においては、図１のメモリ１１に相当する）に記憶する第２のステップと、記憶手段に記憶されている文字データを読み出して所定の表示手段（実施形態においては、図１の表示部１３に相当する）に文字列を表示させるとともに、記憶手段に記憶されている音声データを読み出して所定の発音手段（実施形態においては、図１のスピーカ１５および図示しないヘッドホンに相当する）によって発音させる第３のステップと、第３のステップによる音声データの読出タイミングに同期して表示手段に表示された文字列において所定単位の文字データに対応する文字の表示態様を順次変化させる第４のステップと、を実行する構成になっている。
なお、第１のステップないし第４のステップは、実施形態においては、ＣＰＵ１の処理に相当する。
【００１１】
請求項５の通信制御処理のプログラムにおいて、ディジタルテレビ放送に含まれている識別情報（実施形態においては、契約者ＩＤに相当する）によって当該ディジタルテレビ放送の受信が許可されているか否かを判定する第５のステップをさらに有し、第１のステップは、この第５のステップによって当該ディジタルテレビ放送の受信が許可されていると判定された場合に、当該ディジタルテレビ放送の音声データおよび文字データを抽出するような構成にしてもよい。
なお、第５のステップは、図１のＣＰＵ１の処理に相当する。
【発明の効果】
【００１２】
本発明の通信端末装置および通信制御処理のプログラムによれば、小型化・軽量化および低価格化を図りながら、地上波ディジタル放送のコンテンツを享受できるという効果が得られる。
【発明を実施するための最良の形態】
【００１３】
以下、本発明による通信端末装置の実施形態について、携帯電話を例に採って説明する。
図１において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ復調部６、映像復号部７、音声復号部８、スイッチ部１０、メモリ１１、表示ドライバ１２が接続されている。なお、図１において、点線で囲まれているチューナ５、ＯＦＤＭ復調部６、映像復号部７、および音声復号部８は、地上波ディジタル放送の映像・音声信号を取り込むテレビ受像部９を構成している。表示ドライバ１２には、表示部１３が接続されている。
【００１４】
この携帯電話は、ＣＰＵ１などの電子部品やスイッチ部１０を収容する本体と、表示部１３などを収容する蓋部とが、ヒンジなどによって開閉可能な構造になっている。表示部１３は蓋の裏側に配置され、蓋を開いた状態で表示された画像を見ることができる。さらに、本体や蓋部には、マイク１４、スピーカ１５、および、ＬチャンネルおよびＲチャンネルからなるステレオ用のヘッドホン端子１６が設けられ、ドライバ（図示せず）を介してＣＰＵ１に接続されている。
【００１５】
以下、ＣＰＵ１に接続された各部の機能を説明する。
ＲＯＭ２には、通信制御処理のプログラム、地上波ディジタル放送の受信処理や受信した映像信号を表示する表示処理および音声処理、受信した映像信号を録画する録画処理および再生処理などの信号処理のプログラム、イニシャライズにおけるデフォルト値などが格納されている。
ＲＡＭ３は、ＣＰＵ１のワークエリアであり、ＣＰＵ１によって処理されるデータを一時的にストアするバッファエリア、各種のレジスタやフラグなどのエリア、表示部１３に表示すべき画面の画像データをストアする表示エリアなどが設けられている。
ＲＦブロック４は、電話通信網との間で電話やメールを送受信するための構成要素として、無線送受信部、無線信号処理部、音声信号処理部、加入者情報記憶部など（いずれも図示せず）を備えている。
テレビ受像部９において、チューナ５は、地上波ディジタル放送を受信して高周波増幅などの信号処理を行う。ＯＦＤＭ（直交周波数分割多重）復調部６は、チューナ５から得られるＯＦＤＭ変調されたディジタル信号を復調して、地上波ディジタル放送の映像および音声の符号化データを出力する。映像復号部７は、ＯＦＤＭ復調部６から出力された映像の符号化データを復号してディジタル映像信号をＣＰＵ１に出力する。ＣＰＵ１は、表示ドライバ１２を介してそのディジタル映像信号を表示部１３に出力してテレビ画像を表示する。音声復号部８は、ＯＦＤＭ復調部６から出力された音声の符号化データを復号してディジタル音声信号をＣＰＵ１に出力する。ＣＰＵ１は、そのディジタル音声信号をアナログ信号に変換してスピーカ１５又はヘッドホン端子１６に出力してテレビ音声を発生する。
スイッチ部１０は、携帯電話のためのオフフックスイッチ、オンフックスイッチ、発信スイッチ、カーソルスイッチ、決定スイッチ、クリアスイッチ、数字スイッチなどのキースイッチ群で構成されており、その中のいくつかのスイッチが、テレビスイッチ、チャンネルスイッチ、録音スイッチ、再生スイッチ、再生終了スイッチ、再生スタートスイッチなどと兼用されている。各スイッチの機能については後述する。
メモリ１１は、地上波ディジタル放送の音声データを録音するエリアとともに、映像信号に多重化された文字データを録画するエリアで構成されている。記録された音声データは、音声データポインタによって指定されるアドレスから読み出される。同様に、記録された文字データは、文字データポインタによって指定されるアドレスから読み出される。
【００１６】
この携帯電話は、上記したように、ＣＰＵ１などの電子部品やスイッチ部１０を収容する本体と、表示部１３などを収容する蓋部とが開閉可能な構造であり、開閉に応じて表示部１３のバックライトをオン・オフするための折りたたみ機構・表示電源スイッチ１７（以下、総称して「折りたたみスイッチ」という）を具備している。地上波ディジタル放送を視聴するためには、この折りたたみスイッチ１７を開状態（スイッチオフ）にしなければならない。したがって、折りたたみスイッチ１７が閉状態（スイッチオン）では、映像を見ることができないので、テレビ受像部９の電源をオフにしてもよいが、本実施形態においては、折りたたみスイッチ１７が閉状態であっても、テレビ受像部９の電源をオンにできるようにして、音声の聴取および音声データの録音ができる構成になっている。
【００１７】
次に、図１の構成による実施形態の動作について、図２ないし図７のフローチャートを参照して説明する。
図２ないし図６は、ＣＰＵ１のメインルーチンのフローチャートである。図２において、所定のイニシャライズ（ステップＳＡ１）の後、表示部１３に待受画面を表示する（ステップＳＡ２）。次に、オフフックスイッチがオンされたか否かを判別する（ステップＳＡ３）。このスイッチがオンされたときは、番号入力の画面を表示して(ステップＳＡ４)、入力された番号をＲＡＭ３にストアし、表示部１３に表示する番号入力処理を行う（ステップＳＡ５）。次に、発信スイッチのオン操作に応じて発信処理を行い（ステップＳＡ６）、スピーカ１５によって呼出報知を行う(ステップＳＡ７)。そして、回線接続が確立したか否かを判別する（ステップＳＡ８）。回線接続が確立したときは通話処理に遷移し（ステップＳＡ９）、相手先のユーザとの通話が行われる。その後は、オンフックスイッチがオンされたか否かを判別し（ステップＳＡ１０）、このスイッチがオンされたときは回線切断などの終話処理を行って（ステップＳＡ１１）、ステップＳＡ２に移行して再び待受画面を表示する。
【００１８】
ステップＳＡ３において、オフフックスイッチがオンされない場合には、図３のフローチャートにおいて、テレビスイッチがオンされたか否かを判別する（ステップＳＡ１２）。このスイッチがオンにされたときは、テレビ受像部９の電源をオンにする（ステップＳＡ１３）。次に、放送データ内の識別ＩＤを取得する（ステップＳＡ１４）。識別ＩＤには、受信中のチャンネルが無料であるか又は有料であるかを示すＩＤが含まれているので、ＩＤが有料を示すか否かを判別する（ステップＳＡ１５）。ＩＤが有料を示す場合には、ＩＤの中から契約者ＩＤを取得する（ステップＳＡ１６）。視聴が有料であるチャンネルの放送局と契約するには、例えば、指定されたホームページアドレスに前もって電話番号を発信して登録する。放送局は、登録されたユーザの携帯電話に基づいて、電話会社を介して料金を徴収することができる。なお、地上波ディジタル放送の双方向性が実現すれば、直接にその放送局に対してリアルタイムで電話番号を発信して登録する可能性もある。
【００１９】
契約者ＩＤを取得したときは、そのＩＤ内に発信電話番号があるか否かを判別する（ステップＳＡ１７）。発信電話番号がある場合、又は、取得した識別ＩＤが無料を示す場合には、許可フラグを「１」にセットする（ステップＳＡ１８）。したがって、取得した識別ＩＤが有料を示す場合において、契約者ＩＤ内に発信電話番号がない場合には、許可フラグは「０」にリセットされており、そのチャンネルを視聴することはできない。
【００２０】
許可フラグが「１」であるか否かを判別し（ステップＳＡ１９）、許可フラグが「１」である場合には、受信放送データ内の映像データを表示部１３へ出力し（ステップＳＡ２０）、受信放送データ内の音声データをスピーカ１５（ヘッドホンが接続されている場合には、ヘッドホン端子１６）へ出力し（ステップＳＡ２１）、受信放送データ内の文字データを表示部１３へ出力する（ステップＳＡ２２）。次に、図４のフローチャートにおいて、録音フラグＲＦが「１」であるか否かを判別し（ステップＳＡ２３）、ＲＦが「１」である場合には、音声データをメモリ１１にストアし（ステップＳＡ２４）、文字データをメモリ１１にストアする（ステップＳＡ２５）。
この場合において、音声データと文字データとが同期するようにストアする。例えば、音楽番組において歌詞が表示された曲の音声データをストアする場合には、歌詞の文字データと音声データとが同期するように、メモリ１１における２つのエリアのアドレスを同期して歩進させながらストアする。
【００２１】
テレビ受像部９の電源がオンの状態において、録音スイッチがオンされたか否かを判別し（ステップＳＡ２６）、録音スイッチがオンされたときは、ＲＦを「１」にセットして録音モードに遷移する（ステップＳＡ２７）。録音モードにおいては、録音スイッチがオフされたか否かを判別し（ステップＳＡ２８）、録音スイッチがオフされたときは、ＲＦを「０」にリセットする（ステップＳＡ２９）。また、テレビスイッチがオフされたか否かを判別し（ステップＳＡ３０）、このスイッチがオフされたときは、テレビ受像部９の電源をオフにして（ステップＳＡ３１）、図２のステップＳＡ２に移行し、表示部１３に待受画面を表示する。
【００２２】
図４のステップＳＡ３０において、テレビスイッチがオフでない場合には、チャンネル変更操作がされたか否かを判別し（ステップＳＡ３２）、チャンネル変更操作がされない場合には、図３のステップＳＡ２０に移行して、受信放送データの処理を続行する。チャンネル変更操作がされたときは、テレビ受像部９におけるチューナ５の受信周波数を変更して（ステップＳＡ３３）、図３のステップＳＡ１４に移行し、変更されたチャンネルにおける放送データ内の識別ＩＤを取得する。
【００２３】
図３のステップＳＡ１２において、テレビスイッチがオンでない場合には、図５のフローチャートにおいて、再生スイッチがオンされたか否かを判別する（ステップＳＡ３４）。このスイッチがオンでない場合には、図２のステップＳＡ２に移行して、表示部１３に待受画面を表示するが、このスイッチがオンされたときは、メモリ１１内に記録データがあるか否かを判別する（ステップＳＡ３５）。メモリ１１内に記録データがない場合には、例えば、「記録データがありません」などの表示をした後、図２のステップＳＡ２に移行して、表示部１３に待受画面を表示する。
【００２４】
メモリ１１内に記録データがある場合には、音声データポインタを再生の開始位置（音声データの先頭アドレスの１つ前のアドレス）へ設定し（ステップＳＡ３６）、表示部１３にメモリ１１の文字データを表示する（ステップＳＡ３７）。この結果、表示部１３には、受信したときの放送番組で映像画面に同時に表示された歌詞の文字列が表示される。例えば、曲の複数のフレーズに同期した歌詞の文字列が表示される。次に、文字データポインタを表示された文字列の開始位置（文字データの先頭アドレスの１つ前のアドレス）に設定する（ステップＳＡ３８）。したがって、曲の音声データとともにその曲の歌詞の文字データが記録データとしてメモリ１１にストアされている場合には、曲の先頭アドレスの１つ前のアドレスと、歌詞の最初の文字の先頭アドレスの１つ前のアドレスが指定され、再生スタンバイ状態になる。
【００２５】
この状態において、再生スタートスイッチがオンされたか否かを判別し（ステップＳＡ３９）、このスイッチがオンされたときは、再生開始フラグＳＴＦを反転する（ステップＳＡ４０）。再生スタートスイッチはトグルスイッチであり、オンされるごとにＳＴＦが反転する。次に、ＳＴＦが「１」であるか否かを判別する（ステップＳＡ４１）。ＳＴＦが「１」から「０」に反転したときは、ステップＳＡ３６に移行して再生スタンバイ状態に戻る。ＳＴＦが「０」から「１」に反転したときは、メモリ１１からデータを読み出すまでの最小単位時間が経過したか否かを判別する（ステップＳＡ４２）。
【００２６】
ステップＳＡ３９において、再生スタートスイッチがオンでない場合には、再生の終了スイッチがオンされたか否かを判別する（ステップＳＡ４３）。このスイッチがオンされたときは、ＳＴＦが「１」であるか否かを判別し（ステップＳＡ４４）、ＳＴＦが「１」である場合には、ＳＴＦを「０」にリセットする（ステップＳＡ４５）。ステップＳＡ４４においてＳＴＦが「０」である場合、又は、ステップＳＡ４５においてＳＴＦを「０」にリセットした後は、図２のステップＳＡ２に移行して、表示部１３に待受画面を表示する。
【００２７】
図５のステップＳＡ４２において、最小単位時間が経過したときは、図６のフローチャートにおいて、音声データポインタおよび文字データポインタを歩進する（ステップＳＡ４６）。したがって、音声データポインタおよび文字データポインタは、それぞれ音声データおよび文字データの先頭アドレスに設定される。次に、音声データポインタで読み出し音声データをスピーカ１５（又はヘッドホン）に出力し（ステップＳＡ４７）、文字データポインタで文字データを読み出す（ステップＳＡ４８）。そして、読み出した文字データに合致する表示部１３の文字表示を強調する（ステップＳＡ４９）。例えば、表示色を変化させる。
【００２８】
次に、データが終了したか否かを判別して（ステップＳＡ５０）、終了していない場合には、表示された文字列における最後の文字の強調が終了したか否かを判別する（ステップＳＡ５１）。例えば、曲の複数のフレーズに対応する表示された歌詞における最後の文字の強調が終了したか否かを判別する。最後の文字の強調が終了したときは、表示部１３に次の文字データを表示する（ステップＳＡ５２）。すなわち、曲の次のフレーズに対応する歌詞の文字列を表示する。次の文字列を表示した後、又は、ステップＳＡ５１において、表示された文字列の強調が終了していない場合には、図５のステップＳＡ４２に移行して、最小単位時間が経過したか否かを判別する。
一方、図６のステップＳＡ５０において、データが終了したときは、ＳＴＦを「０」にリセットして（ステップＳＡ５３）、図２のステップＳＡ２に移行して、表示部１３に待受画面を表示する。
【００２９】
図７は、着信検知処理のフローチャートである。着信を検知したときは、スピーカ１５によって着信報知を行ない（ステップＳＢ１）、オフフックスイッチがオンされたか否かを判別する（ステップＳＢ２）。オフフックスイッチがオンされたときは、通話処理に遷移してマイク１４およびスピーカ１５を介して相手との通話を行う（ステップＳＢ３）。通話中においては、オンフックスイッチがオンされたか否かを判別し（ステップＳＢ４）、オンフックスイッチがオンされたときは、回線切断などの終話処理を行って（ステップＳＢ５）、メインルーチンに戻る。
【００３０】
このように、上記実施形態によれば、ＣＰＵ１は、異なる種類の情報が多重化された地上波ディジタル放送の受信データから音声データおよび文字データを抽出して、その抽出した音声データおよび文字データをメモリ１１に記憶する。そして、メモリ１１に記憶されている文字データを読み出して表示部１３に文字列を表示させるとともに、メモリ１１に記憶されている音声データを読み出してスピーカ１５又はヘッドホンによって発音させる際に、音声データの読出タイミングに同期して、表示部１３表示された文字列において、文字の表示態様を順次変化させる。
したがって、地上波ディジタル放送の長時間の動画を記憶できるような大容量のメモリや、電源を供給する大型の電池を必要とすることなく、音楽番組から抽出した高品質の音楽を録音して再生し、その再生に合わせて歌詞の表示を変化させるので、再生音楽を聴いて楽しんだり、カラオケ曲として楽しむことが可能となり、携帯電話の小型化・軽量化および低価格化を図りながら、地上波ディジタル放送のコンテンツを享受することができる。
【００３１】
また、上記実施形態によれば、ＣＰＵ１は、ディジタルテレビ放送に含まれている識別情報によって、その地上波ディジタル放送の受信が許可されているか否かを判定し、する判定手段をさら受信が許可されている場合に、その地上波ディジタル放送の音声データおよび文字データを抽出する。
したがって、契約者として登録しているチャンネル（放送局）の地上波ディジタル放送から受信する音楽番組を有効に活用したり、契約が必要ない無料のチャンネルを捜して地上波ディジタル放送の音楽番組を楽しむことができる。
【００３２】
また、上記実施形態によれば、蓋部が閉じられて折りたたみスイッチ１７がオンの状態においても、テレビ受像部９の電源をオン状態に維持することができるので、地上波ディジタル放送の音楽番組の音声だけを聴いて楽しむこともできる。上記したように、地上波ディジタル放送の音声データは、ＣＤやＭＤ並みの高い音質を送信するので、放送される音楽番組を十分に楽しむことができる。
【００３３】
上記実施形態において、ＣＰＵ１は、音声データの読出タイミングに同期して、表示された文字列を１文字ごとに表示態様を順次変化させるようにしてもよい。この場合には、カラオケの初心者のユーザにとって最適な練習となる。
あるいは、ＣＰＵ１は、楽音を構成する音声データの読出タイミングに同期して、表示された歌詞の文字列を楽音のフレーズ単位で表示態様を順次変化させるようにしてもよい。例えば、メモリ１１に記憶されているメロディの音声データにおいて、所定時間以上の無音期間となる休符を検出して、休符（又は、曲の最初）から休符までの期間に同期した文字列ごとに表示態様を順次変化させる。この場合には、カラオケが上手なユーザにとってさらなるレベルアップの練習に最適である。
【００３４】
上記実施形態においては、メモリ１１に録音した音声データをそのまま読み出して再生する構成にしたが、録音タイミングと再生タイミングとをユーザの設定によって異なるタイミングにするような構成も可能である。例えば、カーソルスイッチおよび決定スイッチの操作によって、メモリ１１からの音声データの読出レートを変更して、記録した音楽のテンポを速く又は遅く設定して再生したり、記録した音楽のキーを変更することも可能である。
【００３５】
また、上記実施形態においては、ユーザによる録音スイッチのオン操作で、受信中の地上波ディジタル放送の番組を録音するような構成にしたが、ＥＰＧ（電子プログラムガイド）のサービスと、携帯電話のカレンダ機能および時計機能を利用して、録音する番組をあらかじめ予約する構成も可能である。この場合には、ユーザの仕事などの都合や番組の時間変更によってリアルタイムでの録音ができない場合でも、自動的に録音することが可能になる。
さらにこの場合において、メモリ１１のエリアを一時的に録音する第１のエリアと、保存する第２のエリアとを分けて管理し、第１のエリアに録音した音声データの中から、会話などの音声データと音楽の音声データとの周波数の違いを利用して、音楽の音声データだけを自動的に検出して第２のエリアに転送し、第１のエリアから音声データを削除することも可能である。この場合には、メモリ１１のエリアを節約できるので、携帯電話の小型化・軽量化および低価格化をさらに図ることができる。
【００３６】
なお、上記実施形態においては、ＲＯＭ２にあらかじめ記憶されている通信制御処理のプログラムをＣＰＵ１が実行する発明、すなわち装置の発明について説明したが、ＲＦブロック４によってインターネットなどの通信網を介して、外部のサーバからダウンロードした通信制御処理のプログラム、又は、ＣＤ−ＲＯＭやフレキシブルディスク（ＦＤ）などの外部記憶媒体からインストールした通信制御処理のプログラムをＣＰＵ１が実行する構成も可能である。この場合には、プログラムの発明を実現することができる。
【００３７】
すなわち、その通信制御処理のプログラムは、
異なる種類の情報が多重化されたディジタルテレビ放送の受信データから音声データおよび文字データを抽出する第１のステップと、前記第１のステップによって抽出された音声データおよび文字データを所定の記憶手段に記憶する第２のステップと、
前記記憶手段に記憶されている文字データを読み出して所定の表示手段に文字列を表示させるとともに、前記記憶手段に記憶されている音声データを読み出して所定の発音手段によって発音させる第３のステップと、前記第３のステップによる音声データの読出タイミングに同期して前記表示手段に表示された文字列において所定単位の文字データに対応する文字の表示態様を順次変化させる第４のステップと、を実行する。
【００３８】
ディジタルテレビ放送に含まれている識別情報によって当該ディジタルテレビ放送の受信が許可されているか否かを判定する第５のステップをさらに有し、前記第１のステップは、この第５のステップによって当該ディジタルテレビ放送の受信が許可されていると判定された場合に、当該ディジタルテレビ放送の音声データおよび文字データを抽出する。
【図面の簡単な説明】
【００３９】
【図１】本発明の実施形態における携帯電話の構成を示すブロック図。
【図２】実施形態における携帯電話のメインルーチンのフローチャート。
【図３】図２に続くメインルーチンのフローチャート。
【図４】図３に続くメインルーチンのフローチャート。
【図５】図３に続くメインルーチンのフローチャート。
【図６】図５に続くメインルーチンのフローチャート。
【図７】実施形態における携帯電話の着信検知処理のフローチャート。
【符号の説明】
【００４０】
１  ＣＰＵ
２  ＲＯＭ
３  ＲＡＭ
４  ＲＦブロック
５  チューナ
６  ＯＦＤＭ復調部
７  映像復号部
８  音声復号部
９  テレビ受像部
１０  スイッチ部
１１  メモリ
１２  表示ドライバ
１３  表示部
１４  マイク
１５  スピーカ
１６  ヘッドホン端子
１７  折りたたみ機構・表示電源スイッチ
【図１】
2005340989.tif 000003
【図２】
2005340989.tif 000004
【図３】
2005340989.tif 000005
【図４】
2005340989.tif 000006
【図５】
2005340989.tif 000007
【図６】
2005340989.tif 000008
【図７】
2005340989.tif 000009